(57)【特許請求の範囲】
【請求項１】
所定の曲率半径を有する外側面が形成された第１の構成部と、
所定の曲率半径を有する外側面が形成された第２の構成部と、
前記第１の構成部の外側面の周方向の一端と、前記第２の構成部の外側面の周方向の一端に形成され、前記第１の構成部と前記第２の構成部を開閉可能に保持する蝶番部と、
前記第１の構成部と前記第２の構成部が前記蝶番部によって開いた場合に、前記第１の構成部の外側面と前記第２の構成部の外側面が１つの中心を中心軸として連続した曲面を構成するように、前記第１の構成部と前記第２の構成部の開角度を固定する固定手段と、
を具備し、
前記第１の構成部の内側面には情報を表示する表示手段が設けられており、前記第１の構成部と前記第２の構成部を開いた場合に、前記第２の構成部に重心が形成されている、
ことを特徴とする携帯端末。
【請求項２】
前記第１の構成部と前記第２の構成部を閉じた場合に、前記第１の構成部の他端面が、前記第２の構成部の内側面に当接し、前記第１の構成部の外側面と前記第２の構成部の他端面が連続した曲面を構成することを特徴とする請求項１に記載の携帯端末。
【発明の詳細な説明】
【技術分野】
【０００１】
本発明は、携帯端末に関し、例えば、蝶番部によって開閉可能に構成されたものに関する。
【背景技術】
【０００２】
近年、携帯電話の普及が著しく、様々なものが販売されている。
携帯電話は、室内に置いて使用したり、外出時に携行して使用したりするため、形状に各種の工夫が凝らされており、例えば、略直方体の板状に形成された一体式のものや、２つの部分を蝶番で開閉可能にした折りたたみ式のものや、２つの部分をスライドさせるスライド式のものなどがある。
このように、携帯電話の形状に工夫を凝らしたものとして、次の特許文献１の技術がある。
【特許文献１】特開平１０−３３６２９６号公報
【０００３】
この技術は、携帯電話を人体の腰部に装着した場合にフィットするように、携帯電話を略円弧状に形成するものである。
【発明の開示】
【発明が解決しようとする課題】
【０００４】
近年では、携帯電話の小型化が進展したため、携帯電話を円弧状にしなくともベルトに取り付けたホルダなどによって腰部に快適に装着することができる。
そのため、腰部にフィットさせるために携帯電話を略円弧状に形成する必要は必ずしも無くなり、一体式、折りたたみ式、スライド式の何れも開いた形状、閉じた状態が略平面を側面とする略直方体となっている。
しかし、携帯電話は、机上などで倒したり、床などに落としたりなど、衝撃受けやすい環境に置かれる場合が多く、このような場合に衝撃を緩和する形状とはなっていなかった。
【０００５】
そこで、本発明は、携帯端末を衝撃を緩和できる形状に形成することを目的とする。
【課題を解決するための手段】
【０００６】
本発明は、前記目的を達成するために、請求項１に記載の発明では、所定の曲率半径を有する外側面が形成された第１の構成部と、所定の曲率半径を有する外側面が形成された第２の構成部と、前記第１の構成部の外側面の周方向の一端と、前記第２の構成部の外側面の周方向の一端に形成され、前記第１の構成部と前記第２の構成部を開閉可能に保持する蝶番部と、前記第１の構成部と前記第２の構成部が前記蝶番部によって開いた場合に、前記第１の構成部の外側面と前記第２の構成部の外側面が１つの中心を中心軸として連続した曲面を構成するように、前記第１の構成部と前記第２の構成部の開角度を固定する固定手段と、を具備し、前記第１の構成部の内側面には情報を表示する表示手段が設けられており、前記第１の構成部と前記第２の構成部を開いた場合に、前記第２の構成部に重心が形成されている、ことを特徴とする携帯端末を提供する。
請求項２に記載の発明では、前記第１の構成部と前記第２の構成部を閉じた場合に、前記第１の構成部の他端面が、前記第２の構成部の内側面に当接し、前記第１の構成部の外側面と前記第２の構成部の他端面が連続した曲面を構成することを特徴とする請求項１に記載の携帯端末を提供する。
【発明の効果】
【０００７】
本発明によれば、携帯端末の形状を曲面によって構成することにより、衝撃を緩和できる形状にする。
【発明を実施するための最良の形態】
【０００８】
（１）実施の形態の概要
図１に示したように、受話部２と送話部３の外側面は半径Ｒの円柱面となっている。
受話部２と送話部３は、蝶番部４によって開閉可能に接合しており、全開時の開角度は、当接部５によって規定されている。
そして、受話部２と送話部３を全開すると、受話部２と送話部３の外側面は、中心Ｏを中心軸とし、半径Ｒの連続した円柱面を形成する。
このように、携帯電話１の外周面が凸曲面を形成しているため、倒したり、落としたりなどした場合でも、携帯電話１は、接地面上で転がり、衝撃を緩和することができる。
また、携帯電話１を開いた状態でも閉じた状態でも、外側面の曲面により携帯電話１が手のひらにフィットして感触がよいほか、落としにくくなる。
【０００９】
（２）実施の形態の詳細
図１は、本実施の形態に係る携帯電話の外観（左図は側面図、右図は正面図）を示した図である。
携帯電話１は、受話部２と送話部３が蝶番部４によって開閉可能に構成されている。
受話部２の内側面には、液晶パネルなどを備えた表示部６と、通話相手の音声を出力するスピーカ部８が形成されている。
一方、送話部３の内側面には、数字、文字、記号などを入力するためのキーパッド部７と、ユーザの音声を検知するマイクロフォン部９が形成されている。
また、受話部２と送話部３には、携帯電話網の基地局と通信して携帯電話機能を発揮させる各種電子装置が内蔵されている。
【００１０】
受話部２の外側面は半径Ｒ（例えば、１ｍ）の円柱面を形成しており、周方向の一端に蝶番部４が取り付けられている。
送話部３の外側面も同様に半径Ｒの円柱面を形成しており、周方向の一端に蝶番部４が取り付けられている。
このように、受話部２と送話部３には所定の曲率半径を有する外側面が形成されている。
【００１１】
受話部２、送話部３の外側面、及び蝶番部４の空間的な位置関係は、受話部２の外側面の中心軸、送話部３の外側面の中心軸、及び蝶番部４の回転軸が並行となるようになっている。
そして、受話部２と送話部３は、蝶番部４を軸として開閉できるようになっている。
【００１２】
送話部３の一端側（蝶番部４側）には、携帯電話１を開いたときに受話部２の一端側（蝶番部４側）が当接して、受話部２と送話部３の開角度を固定する当接部５が設けられており、これによって携帯電話１を全開した場合の受話部２と送話部３の角度が規定されている。
また、蝶番部４には、例えばノッチ機構などにより、受話部２と送話部３が全開状態、及び全閉状態となる角度において係止する係止手段が設けられている。
即ち、蝶番部４は、受話部２と送話部３を開閉しようとするトルクが所定値未満である場合、これ固定して開閉させず、所定値以上となる場合、固定を解除して開閉させる。
【００１３】
そして、携帯電話１を全開にした場合の角度は、受話部２の外側面と送話部３の外側面が半径Ｒの連続した周面を形成する角度となっている。
即ち、全開の状態では、受話部２の外側面の中心軸と送話部３の外側面の中心軸は一致して中心軸Ｏとなり、これによって、携帯電話１の外側面は中心軸Ｏを中心とする半径Ｒの円柱面となる。
【００１４】
一方、携帯電話１を全閉状態では、受話部２の他端面１０が送話部３の他端側にある内側面１１に当接し、表示部６とキーパッド部７が対向するようになっている。更に、他端面１２と受話部２の外側面が連続した曲面を形成する。これについては次の図２で説明する。
【００１５】
以上のように、携帯電話１は、全開の状態では、外側面が半径Ｒの周面を形成するため、机上に無造作に置いたり、落としたりした場合でも、周面で転がり、衝撃を緩和することができる。
また、携帯電話１を開いて手に持った場合、外側面の周面の曲面が手のひらにフィットし、良好な持ち味感を提供すると共に、滑りにくくなるため、落としにくくなる。
【００１６】
なお、本実施の形態では、受話部２と送話部３の外側面の曲率半径を共に同じＲとしたが、異なる値とすることも可能である。
また、受話部２と送話部３の曲率半径を異なった値とした場合、全開時に受話部２の外側面と送話部３の外側面が滑らかに連続するように全開角度を設定すると、接地面状で滑らかに転がり、良好な衝撃干渉機能を保持することができる。
更に、本実施の形態では、受話部２と送話部３の外側面を円柱面としたが、これに限定するものではなく、周方向に垂直な方向に湾曲していたり、あるいは、斜面部分を有する形状であってもよい。
【００１７】
図２は、携帯電話１を全閉した場合の側面を示した図である。また、図３に斜視図を示してある。
図２に示したように、携帯電話１を全閉状態にすると、送話部３の内側面１１と受話部２の他端面１０が当接し、表示部６とキーパッド部７が対面するようになっている。
なお、図を見やすくするため、図２では、他端面１０と内側面１１の間に間隙を設けてある。
そして、全閉状態では、送話部３の他端面１２と受話部２の外側面が連続した半径Ｒの円柱面を形成するようになっている。
更に、携帯電話１の先端（蝶番部４と対向する側）には、送話部３の外側面と他端面１２によって鋭角部分が形成されており、携帯電話１の両側面が凸状の曲面を有するシェル（貝）型形状となる。
【００１８】
一般に、折りたたみ式携帯電話を折りたたんだ状態でポケットに入れる際には、送話部と受話部の間にできる隙間にポケットの縁が引っかかって携帯電話が開いてしまい、携帯電話の収納に失敗する場合があるが、携帯電話１は、携帯電話１の先端部分から受話部２と送話部３の当接部分がオフセットされているため、収納の際にポケットの縁に引っかかるようなことがなく、また、側面が先端を頂点として徐々にふくらむ曲面であるため円滑に収納することができる。
【００１９】
また、携帯電話１を閉じた状態でも側面が円柱面を有しているため、閉じた状態で机上に無造作に置いたり、落としたりした場合でも、周面で転がり、衝撃を緩和することができる。
更に、携帯電話１を閉じて手に持った場合、外側面の周面の曲面が手のひらにフィットし、良好な持ち味感を提供することができ、また、落としにくくなる。
【００２０】
以上に説明した携帯電話１において、受話部２は、所定の曲率半径（実施の形態では曲率半径Ｒ）を有する外側面が形成された第１の構成部として機能し、送話部３は、所定の曲率半径を有する外側面が形成された第２の構成部として機能している。
そして、蝶番部４は、第１の構成部（受話部２）の外側面の周方向の一端と、第２の構成部（送話部３）の外側面の周方向の一端に形成され、第１の構成部と第２の構成部を開閉可能に保持する蝶番部として機能している。
更に、図１に示した当接部５（又は当接部５と蝶番部４のノッチ機構などの係止手段の組合せ）は、第１の構成部（受話部２）と第２の構成部（送話部３）が蝶番部（蝶番部４）によって開いた場合に、第１の構成部の外側面と第２の構成部の外側面が連続した曲面を構成するように、第１の構成部と第２の構成部の開角度を固定する固定手段として機能している。
【００２１】
また、携帯電話１では、第１の構成部（受話部２）と前記第２の構成部（送話部３）を閉じた場合に、前記第１の構成部の他端面（他端面１０）が、前記第２の構成部の内側面（内側面１１）に当接し、第１の構成部の外側面と第２の構成部の他端面（他端面１２）が連続した曲面を構成している。
なお、本実施の形態では、受話部２の他端面１０が送話部３の内側面１１に当接するように構成したが、受話部２の内側面に、送話部３の他端面１２が当接するように構成することもできる。
この場合、送話部３が第１の構成部として機能し、受話部２が第２の構成部として機能する。
更に、固定手段（当接部５）は、第１の構成部（受話部２）と第２の構成部（送話部３）が蝶番部（蝶番部４）によって開いた場合に、第１の構成部の外側面と第２の構成部の外側面が１つの中心を中心軸（中心軸Ｏ）として連続した曲面を構成するように、第１の構成部と第２の構成部の開角度を固定している。
【００２２】
図４（ａ）は、携帯電話１の重心位置を説明するための図である。
携帯電話１では、全開した状態で携帯電話１の重心１５が送話部３に位置するように重量バランスが設定されている。
この設定のためには、携帯電話１が内蔵するバッテリの位置や電子装置の配置を考慮するほか、バランサなどの重りを付加してもよい。
このため、携帯電話１を全開状態で机上などに置くと、表示部６が起きあがり、ユーザは表示部６を見やすくなる。
また、図４（ｂ）の矢線で示したように、ユーザが送話部３の他端側を指などで押下すると、表示部６をより起きあがらせることができ、表示部６をより確認しやすくなる。
【００２３】
このように、携帯電話１では、第１の構成部と第２の構成部のうちの何れか一方の構成部の内側面（携帯電話１では受話部２）には情報を表示する表示手段（表示部６）が設けられており、第１の構成部（受話部２）と第２の構成部（送話部３）を開いた場合に、他方の構成部（携帯電話１では送話部３）に重心が形成されている。
また、受話部２を第２の構成部とし、送話部３を第１の構成部とすることも可能である。
【００２４】
以上に説明した本実施の形態により次のような効果を得ることができる。
（１）開いた状態でも閉じた状態でも外周面が円柱面を有しているため、倒したり、落としたりした場合の対衝撃性が優れている。
即ち、従来の携帯電話の外側面は略平面で形成されているため、例えば、開いている状態でも閉じている状態でも机上に置くとき平らに置かなくてはならず、斜めに置いて手を離すと携帯電話に衝撃が加わる。
しかし、携帯電話１は、閉じるとシェル型形状となり、開くと半径Ｒの円柱面を構成するため、例えば、一部を設置して手を離しても回転して安定するため、衝撃が少ない。
【００２５】
（２）携帯電話１を閉じた際の受話部２と送話部３の当接部分が、携帯電話１の先端部分からずれているため、蓋（受話部２）と本体（送話部３）の一部によって１つの曲面が形成され、携帯電話１をポケットなどに収納する場合でもポケットの縁に受話部２と送話部３の当接部分が引っかかりにくい。
（３）携帯電話１を開いた場合の重心が送話部３に位置するように設定されているため、携帯電話１を開いて机上に置いた場合でも携帯電話１は自重で起きあがり、表示部６が見やすくなる。また、送話部３の他端側を指で押下すると、携帯電話１がより起きあがる。
（４）携帯電話１が開状態であっても閉状態であっても、形状が手のひらにフィットするため、感触がよく、また、落としにくい。
（５）着信を振動で通知する場合、携帯電話１の外周面が円柱面であるため、携帯電話１が大きく運動し、ユーザにより効果的に通知を行うことができる。
（６）着信を音で通知する場合や音楽を流す場合、外周面の接地面が少ないため音による振動を減衰させることが少ない。更に外周面に設けられたスピーカなどの開口部により音を発するような構成の場合でも、机上に置いた際に開口部を塞ぐことがない。
【００２６】
以上、本実施の形態では、携帯電話１を例に説明したが、これは携帯端末の種類を限定するものではなく、例えば、トランシーバや小型ＧＰＳ装置など、他の携帯端末としてもよい。
【図面の簡単な説明】
【００２７】
【図１】本実施の形態に係る携帯電話の外観を示した図である。
【図２】携帯電話を全閉した場合の側面を示した図である。
【図３】携帯電話を全閉した場合の斜視図である。
【図４】重心の位置などを説明するための図である。
【符号の説明】
【００２８】
１  携帯電話
２  受話部
３  送話部
４  蝶番部
５  当接部
６  表示部
７  キーパッド部
８  スピーカ部
９  マイクロフォン部
１０  他端面
１１  内側面
１２  他端面
【図１】
0004883707.tif 000002
【図２】
0004883707.tif 000003
【図３】
0004883707.tif 000004
【図４】
0004883707.tif 000005